(57)【要約】【課題】物体側から順に負正のネガティブリーディング型２群を採用し、構成枚数と光学性能のバランスがよく、ズーム比（変倍比）３倍程度を有しながら、小型で優れた光学性能が得られるズームレンズ系を得る。【解決手段】第１レンズ群は、物体側から順に、負レンズ１１と、正レンズ１２の２枚のレンズからなり、第２レンズ群は、物体側から順に、正レンズ２１と、負レンズ２２と、正レンズ２３の３枚のレンズからなっていて、少なくともその物体側の正レンズ２１と負レンズ２２は接合され、次の条件式（１）、（２）を満足するズームレンズ系。（１）１．５＜ｆ2G／（ｆT／ｆW）＜３．０（２）１＜ｆ2G（ｍW-ｍT）／（ｆT／ｆW）＜３但し、ｆ2G；第２レンズ群の焦点距離、ｆW；短焦点距離端での全系の焦点距離、ｆT；長焦点距離端での全系の焦点距離、ｍW；短焦点距離端における第２レンズ群の横倍率、ｍT；長焦点距離端における第２レンズ群の横倍率。【選択図】  図１
2006133755.tif 000002
【特許請求の範囲】
【請求項１】
物体側から順に、負のパワーの第１レンズ群と、正のパワーの第２レンズ群とからなるズ
ームレンズ系において、
第１レンズ群は、物体側から順に、負レンズと、正レンズの２枚のレンズからなり、
第２レンズ群は、物体側から順に、正レンズと、負レンズと、正レンズの３枚のレンズ
からなっていて、少なくともその物体側の正レンズと負レンズは接合されており、
次の条件式（１）、（２）を満足することを特徴とするズームレンズ系。
（１）１．５＜ｆ2G／（ｆT／ｆW）＜３．０
（２）１＜ｆ2G（ｍW-ｍT）／（ｆT／ｆW）＜３
但し、
ｆ2G；第２レンズ群の焦点距離、
ｆW；短焦点距離端での全系の焦点距離、
ｆT；長焦点距離端での全系の焦点距離、
ｍW；短焦点距離端における第２レンズ群の横倍率、
ｍT；長焦点距離端における第２レンズ群の横倍率。
【請求項２】
請求項１記載のズームレンズ系において、次の条件式（３）を満足するズームレンズ系。
（３）１．０＜｜ｆ1G｜／ｆ2G＜１．６
但し、
ｆ1G；第１レンズ群の焦点距離。
【請求項３】
請求項１または２記載のズームレンズ系において、次の条件式（４）を満足するズームレ
ンズ系。
（４）１５＜νｐ-νｎ
但し、
νｐ；第２レンズ群の像側の正レンズのアッベ数、
νｎ；第２レンズ群の負レンズのアッベ数。
【請求項４】
請求項１ないし３のいずれか１項記載のズームレンズ系において、次の条件式（５）を満
足するズームレンズ系。
（５）１８゜＜βW＜２５゜
但し、
βW；短焦点距離端において、最も像側のレンズ面から射出されて最大像高に向かう光束
の最も光軸側の縁と光軸のなす角度。
【請求項５】
請求項１ないし４のいずれか１項記載のズームレンズ系において、次の条件式（６）を満
足するズームレンズ系。
（６）βW-βT＜１０゜
但し、
βW；短焦点距離端において、最も像側のレンズ面から射出されて最大像高に向かう光束
の最も光軸側の縁と光軸のなす角度、
βT；長焦点距離端において、最も像側のレンズ面から射出されて最大像高に向かう光束
の最も光軸側の縁と光軸のなす角度。
【請求項６】
請求項１ないし５のいずれか１項記載のズームレンズ系において、第２レンズ群を構成す
る正レンズと、負レンズと、正レンズの３枚のレンズは全て接合されており、次の条件式
（７）を満足するズームレンズ系。
（７）（Ｎn-ＮP）／ｒC2＜０．１
但し、
Ｎn；第２レンズ群の負レンズのｄ線に対する屈折率、
ＮP；第２レンズ群の像側の正レンズのｄ線に対する屈折率、
ｒC2；第２レンズ群の負レンズと像側の正レンズの接合面の曲率半径。
【請求項７】
請求項６記載のズームレンズ系において、次の条件式（８）を満足するズームレンズ系。
（８）０＜ｒC1
但し、
ｒC1；第２レンズ群の物体側の正レンズと負レンズの接合面の曲率半径。
【請求項８】
請求項６または７記載のズームレンズ系において、次の条件式（４’）を満足するズーム
レンズ系。
（４’）２０＜νｐ-νｎ
但し、
νｐ；第２レンズ群の像側の正レンズのアッベ数、
νｎ；第２レンズ群の負レンズのアッベ数。
【請求項９】
請求項６ないし８のいずれか１項記載のズームレンズ系において、次の条件式（９）を満
足するズームレンズ系。
（９）２．８＜ｆT／ｆW
但し、
ｆW；短焦点距離端での全系の焦点距離、
ｆT；長焦点距離端での全系の焦点距離。
【請求項１０】
請求項６ないし９のいずれか１項記載のズームレンズ系において、次の条件式（６’）を
満足するズームレンズ系。
（６’）３゜＜βW-βT＜１０゜
但し、
βW；短焦点距離端において、最も像側のレンズ面から射出されて最大像高に向かう光束
の最も光軸側の縁と光軸のなす角度、
βT；長焦点距離端において、最も像側のレンズ面から射出されて最大像高に向かう光束
の最も光軸側の縁と光軸のなす角度。
【発明の詳細な説明】
【技術分野】
【０００１】
本発明は、カメラ付き携帯電話、ＰＤＡ（情報機器端末）などの超小型のデジタルカメ
ラに適したズームレンズ系に関する。
【背景技術】
【０００２】
撮像素子に結像させるデジタルカメラは、単体としてのカメラに留まらず、携帯電話や
ＰＤＡに搭載され、小型化と高画素化（高精細化）が同時進行している。このため、同一
のイメージサイズ（撮像素子サイズ）であっても、従来の粗い画素の撮像素子用のズーム
レンズ系を、精細な画素の撮像素子用に用いると必要な光学性能が得られない。具体的に
は例えば主に携帯電話に用いられる対角像高（y＝２．０mm）の撮像素子には、従来３枚
構成のズームレンズ系で対応可能であったのに対し、最近の高精細の撮像素子には、３枚
構成では十分な光学性能を得ることができない。勿論、７枚構成程度とすれば光学性能は
得られるが、レンズ全長が長くなり、携帯電話のような小型の機器には搭載できない。
【特許文献１】特開平１０-２７４７３９号公報
【特許文献２】特開平１１-１４２７３４号公報
【特許文献３】特開２００２-１４２８４号公報
【発明の開示】
【発明が解決しようとする課題】
【０００３】
本発明は、構成枚数と光学性能のバランスがよく、ズーム比（変倍比）３倍程度を有し
ながら、小型で優れた光学性能が得られるズームレンズ系を得ることを目的とする。
【課題を解決するための手段】
【０００４】
本発明は、５枚構成というレンズ枚数の制約の下で優れた光学性能のズームレンズ系を
得るため、負のパワーの第１レンズ群と正のパワーの第２レンズ群を有するネガティブリ
ーディング型の２群タイプを採用し、その上で各レンズ群のレンズ構成を適切に設定する
ことで、対角像高３．０mm画素数３メガ程度の高精細撮像素子に対応できるズームレンズ
系を得たものである。
【０００５】
本発明は、物体側から順に、負のパワーの第１レンズ群と、正のパワーの第２レンズ群
とからなるズームレンズ系において、第１レンズ群は、物体側から順に、負レンズと、正
レンズの２枚のレンズからなり、第２レンズ群は、物体側から順に、正レンズと、負レン
ズと、正レンズの３枚のレンズからなっていて、少なくともその物体側の正レンズと負レ
ンズは接合されており、次の条件式（１）、（２）を満足することを特徴としている。
（１）１．５＜ｆ2G／（ｆT／ｆW）＜３．０
（２）１＜ｆ2G（ｍW-ｍT）／（ｆT／ｆW）＜３
但し、
ｆ2G；第２レンズ群の焦点距離、
ｆW；短焦点距離端での全系の焦点距離、
ｆT；長焦点距離端での全系の焦点距離、
ｍW；短焦点距離端における第２レンズ群の横倍率、
ｍT；長焦点距離端における第２レンズ群の横倍率、
である。
【０００６】
本発明のズームレンズ系は、次の条件式（３）を満足することが望ましい。
（３）１．０＜｜ｆ1G｜／ｆ2G＜１．６
但し、
ｆ1G；第１レンズ群の焦点距離、
である。
【０００７】
また、次の条件式（４）を満足することが好ましい。
（４）１５＜νｐ-νｎ
但し、
νｐ；第２レンズ群の像側の正レンズのアッベ数、
νｎ；第２レンズ群の負レンズのアッベ数、
である。
【０００８】
また、次の条件式（５）を満足することが好ましい。
（５）１８゜＜βW＜２５゜
但し、
βW；短焦点距離端において、最も像側のレンズ面から射出されて最大像高に向かう光束
の最も光軸側の縁と光軸のなす角度、
である。
【０００９】
また、別の観点からは、次の条件式（６）を満足することが好ましい。
（６）βW-βT＜１０゜
但し、
βT；長焦点距離端において、最も像側のレンズ面から射出されて最大像高に向かう光束
の最も光軸側の縁と光軸のなす角度、
である。
【００１０】
本発明のズームレンズ系は、第２レンズ群を構成する３枚のレンズのうち物体側の正レ
ンズと負レンズを接合する態様の他、像側の正レンズを含めた全３枚のレンズ全てを接合
する態様も可能である。この態様では、次の条件式（７）を満足するのがよい。
（７）（Ｎn-ＮP）／ｒC2＜０．１
但し、
Ｎn；第２レンズ群の負レンズのｄ線に対する屈折率、
ＮP；第２レンズ群の像側の正レンズのｄ線に対する屈折率、
ｒC2；第２レンズ群の負レンズと像側の正レンズの接合面の曲率半径、
である。
３枚接合の態様では、第２レンズ群の物体側の正レンズと負レンズの接合面の曲率半径
は、次の条件式（８）を満足することが望ましい。
（８）０＜ｒC1
但し、
ｒC1；第２レンズ群の物体側の正レンズと負レンズの接合面の曲率半径、
である。
【００１１】
また、次の条件式（４’）を満足するのがよい。
（４’）２０＜νｐ-νｎ
但し、
νｐ；第２レンズ群の像側の正レンズのアッベ数、
νｎ；第２レンズ群の負レンズのアッベ数、
である。
【００１２】
そして、第２レンズ群の３枚のレンズ全てを接合すると、次の条件式（９）を満足する
ズームレンズのズーミング範囲全域に渡って収差を容易に補正することができる。
（９）２．８＜ｆT／ｆW
【００１３】
第２レンズ群３枚接合タイプでは、次の条件式（６’）を満足するのがよい。
（６’）３゜＜βW-βT＜１０゜
【発明の効果】
【００１４】
本発明によれば、ズーム比２〜３倍程度で高精細な撮像素子に対応可能な高い光学性能
を有し、小型なズームレンズ系を得ることができる。
【発明を実施するための最良の形態】
【００１５】
本実施形態のズームレンズ系は、図１（実施例１）、図５（実施例２）、図９（実施例
３）、図１３（実施例４）、図１７（実施例５）、図２１（実施例６）、図２５（実施例
７）、図２９（実施例８）、図３３（実施例９）の各実施例のレンズ構成図に示すように
、物体側から順に、負のパワーの第１レンズ群１０、絞りS、及び正のパワーの第２レン
ズ群２０からなっている。絞りSは第２レンズ群２０と一体である。短焦点距離端から長
焦点距離端へのズーミングに際し、第１レンズ群１０は実施例１においては像側に単調に
移動し、その他の実施例においては像側に移動した後、物体側に戻るように移動する。第
２レンズ群２０は全ての実施例において物体側に単調に移動する。フォーカシングは第１
レンズ群１０によって行う。
【００１６】
第１レンズ群１０は、物体側から順に、負レンズ１１と、正レンズ１２の２枚のレンズ
からなり、第２レンズ群２０は、物体側から順に、正レンズ２１と、負レンズ２２と、正
レンズ２３の３枚のレンズからなっている。第２レンズ群２０は、図１、図５、図９の各
実施例では、その物体側の正レンズ２１と負レンズ２２が接合されており、残りの各実施
例では、全てのレンズが接合されている。CGは、撮像素子の前面に位置するカバーガラス
（フィルター類）である。
【００１７】
条件式（１）は、第２レンズ群の焦点距離と全系のズーム比に関するもので、変倍作用の大きい第２レンズ群のパワーを適切に設定し、変倍（ズーミング）時に発生する諸収差の変動を抑えるための条件である。この条件式（１）の上限を超えると、第２レンズ群のパワーが弱くなりすぎて、短焦点距離端から長焦点距離端にかけて第２レンズ群の移動量が増大し、レンズ全長が増大する。条件式（２）の下限を超えると、第２レンズ群のパワーが強くなりすぎ、短焦点距離端から長焦点距離端にかけて第２レンズ群の移動量は減少するが、変倍時における諸収差の変動が大きくなり、収差補正が困難になる。また、収差補正のため、第２レンズ群の構成枚数を増やすと、レンズ全長、径ともに増大する。
【００１８】
条件式（２）は、短焦点距離端から長焦点距離端にかけての第２レンズ群の移動量と全
系のズーム比に関する条件である。この条件式（２）の上限を超えると、短焦点距離端か
ら長焦点距離端にかけて第２レンズ群の移動量が増大し、長焦点距離端で第２レンズ群と
第１レンズ群の干渉が起こり、メカ構成ができなくなる。条件式（２）の下限を超えると
、短焦点距離端から長焦点距離端にかけての第２レンズ群の移動量は減少するが、変倍時
における諸収差の変動が大きくなり、特に球面収差の補正が困難となる。
【００１９】
条件式（３）は、第１レンズ群の焦点距離と第２レンズ群の焦点距離の比に関する条件
である。条件式（３）の上限を超えると、短焦点距離端から長焦点距離端にかけての第１
レンズ群の移動量が増大し、レンズ全長が増大する。条件式（３）の下限を超えると、第
２レンズ群に対する第１レンズ群の負のパワーの割合が大きくなり過ぎて諸収差が発生し
、正のパワーの第２レンズ群で、特に歪曲収差を補正することが困難になる。
【００２０】
条件式（４）は、第２レンズ群中の像側の２枚のレンズ、すなわち、負レンズ２２と正レンズ２３のｄ線に対するアッベ数の差に関する条件である。本実施形態の第２レンズ群は３枚構成で枚数が少ないため、色収差を良好に補正するために、像側の正レンズと負レンズとしてこの条件式（４）を満足するようなアッベ数の差の大きい硝材を用いることが好ましい。条件式（４）を満足しない硝材では色収差を良好に補正することが困難である。第２レンズ群の３枚のレンズを全て接合する場合には、同様に色収差を良好に補正するために、条件式（４’）を満足することが好ましい。
【００２１】
条件式（５）は、短焦点距離端における上光線の射出角度に関する条件である。図３７
には、短焦点距離端における最大像高の最も像側の面から射出される上光線と光軸とのな
す角βWを描いた。主光線の射出角は、第１レンズ群の最も物体側の面（負レンズ１１の
物体側の面）の最大像高を通る上光線と光軸とのなす角度として定義される。上光線の射
出角度はテレセントリック性に関与する。条件式（５）の上限を超えると、撮像面に主光
線がほぼ垂直に入射する状態を得ることができず、シェーディングの原因となる。条件式
（５）の下限を超えると、短焦点距離端でのバックフォーカスが長くなり、レンズ全長、
径ともに増大してしまう。
【００２２】
条件式（６）は、短焦点距離端と長焦点距離端の主光線の射出角度の差に関する条件で
ある。条件式（５）とともにシェーディングに関与し、上限を超えると、射出角度差が大
きくなってシェーディングの原因となる。第２レンズ群の３枚のレンズを全て接合する場
合には、条件式（６）に下限を設けた条件式（６’）を満足することが好ましい。条件式
（６’）の下限を超えると、３枚を接合する態様では、短焦点距離端でのバックフォーカ
スが長くなり、レンズ全長、径ともに増大する。
【００２３】
条件式（７）は、第２レンズを構成する３枚のレンズを接合する態様において、その像
側の２枚の接合レンズ、すなわち、負レンズ２２と正レンズ２３の接合面の曲率半径に関
する条件である。条件式（７）の上限を超えて曲率半径が小さくなると、接合面のパワー
が強くなり過ぎ、収差補正が困難になる。
【００２４】
条件式（８）は、第２レンズ群の３枚のレンズを全て接合レンズとしたとき、物体側の
２枚のレンズ、すなわち正レンズ２１と負レンズ２２の接合面の曲率半径に関する条件で
ある。正レンズ２１の像側の面（接合面）は、収差補正の観点からすると、凹面または凸
面のいずれにすることも可能であるが、製造誤差を考慮すると、凹面にすることが好まし
い。正レンズ２１の像側の面（接合面）を凸面にすると、各レンズの接合過程で基準レン
ズが変わるので各レンズ間の偏心誤差が発生し易くなるためである。
【００２５】
条件式（９）は、全系のズーム比に関する条件である。第２レンズ群の３枚全てを接合
することで、この条件式（９）を容易に満たすズームレンズにおいても、ズーミング全域
に対して球面収差及び非点収差を良好に補正することができる。
【００２６】
次に具体的な実施例を示す。諸収差図中、球面収差で表される色収差（軸上色収差）図
及び倍率色収差図中のｄ線、ｇ線、Ｃ線はそれぞれの波長に対する収差であり、Ｓはサジ
タル、Ｍはメリディオナルである。
また、表中のFNO.はＦナンバー、ｆは全系の焦点距離、Ｗは半画角（゜）、fBはバックフ
ォーカス（カバーガラスCGの像側の面から撮像面までの距離）、ｒは曲率半径、ｄはレン
ズ厚またはレンズ間隔、Ｎd はｄ線の屈折率、νはアッベ数を示す。
また、回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８
、・・・・・は各次数の非球面係数）
【実施例１】
【００２７】
図１ないし図４は本発明のズームレンズ系の第１実施例を示すもので、図１は短焦点距
離端でのレンズ構成図、図２は短焦点距離端での諸収差図、図３は中間焦点距離での諸収
差図、図４は長焦点距離端での諸収差図である。表１はその数値データである。第１レン
ズ群１０は、物体側から順に、負レンズ１１と、正レンズ１２の２枚のレンズからなり、
第２レンズ群２０は、物体側から順に、正レンズ２１と、負レンズ２２と、正レンズ２３
の３枚のレンズからなっている。正レンズ２１と負レンズ２２は接合されている。絞りS
は、第２レンズ群２０の前方（第５面の前方）0.50の位置にある。
【００２８】
（表１）
FNO. =  1: 3.5 - 4.2 - 5.1
f    =   4.50 - 7.00 - 10.00 （ズーム比=2.22）
W    =  36.0 - 23.0 - 16.2
fB   =   1.04 - 1.04 - 1.04
最大像高=  2.9
βW=  20.7
βT=  18.5
面No.    ｒ          ｄ           Nd           ν
1     125.000       0.60       1.78619       47.8
2       3.446       0.98         −           −
3*      6.162       1.00       1.60585       27.0
4*     50.043  6.99-3.00-0.84    −           −
5       3.420       1.46       1.77671       48.1
6      -5.541       1.19       1.83400       32.4
7       3.176       0.38         −           −
8*      2.489       1.37       1.66626       55.2
9*      6.550  4.30-6.03-8.11    −           −
10       ∞         0.90       1.51633       64.1
11       ∞          −          −           −
*は回転対称非球面。
非球面データ（表示していない非球面係数は0.00である。）；
NO       Ａ４               Ａ６              Ａ８
3     0.79607×10-3     -0.10315×10-3      0.73872×10-5
4    -0.79657×10-3     -0.16435×10-3
8    -0.34487×10-4     -0.56528×10-3
9     0.17320×10-1      0.26085×10-2
【実施例２】
【００２９】
図５ないし図８は本発明のズームレンズ系の第２実施例を示すもので、図５は短焦点距
離端でのレンズ構成図、図６は短焦点距離端での諸収差図、図７は中間焦点距離での諸収
差図、図８は長焦点距離端での諸収差図である。表２はその数値データである。絞りSは
、第２レンズ群２０の前方（第５面の前方）0.20の位置にある。基本的なレンズ構成は実
施例１と同様である。
【００３０】
（表２）
FNO. =  1: 3.5 - 4.3 - 6.0
f    =   4.50 - 7.00 - 12.60（ズーム比=2.80）
W    =  35.4 - 22.9 - 13.0
fB   =   1.07 - 1.07 - 1.07
最大像高=  2.9
βW=  20.9
βT=  15.4
面No.    ｒ          ｄ           Nd           ν
1     125.000       0.60       1.83481       42.7
2       3.373       1.10         −           −
3*      8.782       1.00       1.78472       25.7
4*   -417.163  7.60-3.65-0.50    −           −
5       3.248       1.45       1.73568       50.7
6      -8.019       1.00       1.83400       34.1
7       2.711       0.16         −           −
8*      2.441       1.70       1.66626       55.2
9*     10.476  4.90-6.84-11.19   −           −
10       ∞         0.90       1.51633       64.1
11       ∞          −          −           −
*は回転対称非球面。
非球面データ（表示していない非球面係数は0.00である。）；
NO       Ａ４               Ａ６              Ａ８
3     0.14695×10-2     -0.13932×10-3      0.13682×10-4
4    -0.41476×10-3     -0.16245×10-3
8    -0.27462×10-2      0.31093×10-3     -0.40000×10-3
9     0.11926×10-1      0.27719×10-2     -0.20000×10-3
【実施例３】
【００３１】
図９ないし図１２は本発明のズームレンズ系の第３実施例を示すもので、図９は短焦点
距離端でのレンズ構成図、図１０は短焦点距離端での諸収差図、図１１は中間焦点距離で
の諸収差図、図１２は長焦点距離端での諸収差図である。表３はその数値データである。
絞りSは、第２レンズ群２０の前方（第５面の前方）0.20の位置にある。基本的なレンズ構成は実施例１と同様である。
【００３２】
（表３）
FNO. =  1: 3.4 - 4.2 - 6.1
f    =   4.40 - 7.00 - 13.20（ズーム比=3.00）
W    =  35.9 - 23.0 - 12.4
fB   =   1.06 - 1.06 - 1.06
最大像高=  2.9
βW=  19.8
βT=  15.4
面No.    ｒ          ｄ           Nd           ν
1     125.000       0.60       1.83400       40.9
2       3.352       1.26         −           −
3*     12.151       1.00       1.84666       23.8
4*    -53.712  8.08-3.86-0.50    −           −
5       3.063       1.66       1.65000       58.6
6      -8.125       1.00       1.83400       36.0
7       3.002       0.15         −           −
8*      2.555       1.40       1.69350       53.2
9*     10.328  5.40-7.57-12.74   −           −
10       ∞         0.90       1.51633       64.1
11       ∞          −          −           −
*は回転対称非球面。
非球面データ（表示していない非球面係数は0.00である。）；
NO       Ａ４               Ａ６              Ａ８
3     0.14832×10-2     -0.85178×10-4      0.14804×10-4
4    -0.41895×10-3     -0.94808×10-4
8    -0.18419×10-2      0.48973×10-3     -0.40000×10-3
9     0.13482×10-1      0.25918×10-2     -0.20000×10-3
【実施例４】
【００３３】
図１３ないし図１６は本発明のズームレンズ系の第４実施例を示すもので、図１３は短
焦点距離端でのレンズ構成図、図１４は短焦点距離端での諸収差図、図１５は中間焦点距
離での諸収差図、図１６は長焦点距離端での諸収差図である。表４はその数値データであ
る。絞りSは、第２レンズ群２０の前方（第５面の前方）0.00の位置にある。この実施例
４では、第２レンズ群２０を構成する３枚のレンズは全て接合されている。
【００３４】
（表４）
FNO. =  1: 3.5 - 4.3 - 5.2
f    =   4.50 - 7.00 - 10.00（ズーム比=2.22）
W    =  35.8 - 22.9 - 16.2
fB   =   1.07 - 1.07 - 1.07
最大像高=  2.9
βW=  23.1
βT=  18.9
面No.    ｒ          ｄ           Nd           ν
1     110.521       0.60       1.77500       41.6
2       3.406       1.19         −           −
3*      8.556       0.86       1.84666       23.8
4*     33.544  5.64-2.22-0.38    −           −
5*      3.691       1.25       1.83400       45.2
6      50.000       1.42       1.81307       26.0
7       2.953       1.60       1.66626       55.2
8*     28.773  4.20-5.97-8.09    −           −
9        ∞         0.90       1.51633       64.1
10       ∞          −          −           −
*は回転対称非球面。
非球面データ（表示していない非球面係数は0.00である。）；
NO       Ａ４               Ａ６              Ａ８
3    -0.13116×10-3     -0.19359×10-3
4    -0.13566×10-2     -0.27103×10-3
5    -0.45073×10-3     -0.40000×10-4
8     0.81004×10-2      0.20000×10-2
【実施例５】
【００３５】
図１７ないし図２０は本発明のズームレンズ系の第５実施例を示すもので、図１７は短
焦点距離端でのレンズ構成図、図１８は短焦点距離端での諸収差図、図１９は中間焦点距
離での諸収差図、図２０は長焦点距離端での諸収差図である。表５はその数値データであ
る。基本的なレンズ構成は実施例４と同様である。絞りSは、第２レンズ群２０の前方（
第５面の前方）0.30の位置にある。基本的なレンズ構成は実施例４と同様である。
【００３６】
（表５）
FNO. =  1: 3.5 - 4.3 - 5.3
f    =   4.50 - 7.00 - 10.50（ズーム比=2.33）
W    =  36.1 - 23.0 - 15.5
fB   =   1.06 - 1.06 - 1.06
最大像高=  2.9
βW=  21.6
βT=  18.0
面No.    ｒ          ｄ           Nd           ν
1     110.521       0.60       1.77500       42.9
2       3.448       1.12         −           −
3*      8.666       0.85       1.84666       23.8
4*     33.933  6.26-2.76-0.66    −           −
5*      3.417       1.29       1.80661       46.5
6      50.000       1.06       1.83400       28.1
7       2.739       1.40       1.66626       55.2
8*     20.949  4.60-6.41-8.94    −           −
9        ∞         0.90       1.51633       64.1
10       ∞           −         −           −
*は回転対称非球面。
非球面データ（表示していない非球面係数は0.00である。）；
NO        Ａ４               Ａ６              Ａ８
3     -0.97801×10-3     -0.23469×10-3
4     -0.22414×10-2     -0.28013×10-3
5     -0.26377×10-3     -0.40000×10-4
8      0.97742×10-2      0.20000×10-2
【実施例６】
【００３７】
図２１ないし図２４は本発明のズームレンズ系の第６実施例を示すもので、図２１は短
焦点距離端でのレンズ構成図、図２２は短焦点距離端での諸収差図、図２３は中間焦点距
離での諸収差図、図２４は長焦点距離端での諸収差図である。表６はその数値データであ
る。絞りSは、第２レンズ群２０の前方（第５面の前方）0.20の位置にある。基本的なレ
ンズ構成は実施例４と同様である。
【００３８】
（表６）
FNO. =  1: 3.7 - 4.4 - 5.9
f    =   4.70 - 7.00 - 11.75（ズーム比=2.50）
W    =  34.6 - 23.0 - 13.9
fB   =   1.02 - 1.02 - 1.02
最大像高=  2.9
βW=  22.5
βT=  16.6
面No.    ｒ          ｄ           Nd           ν
1        ∞         0.50       1.85000       40.0
2       3.787       1.14         −           −
3*      8.272       0.85       1.83293       24.1
4*     48.250  6.92-3.43-0.54    −           −
5*      3.352       1.17       1.81000       41.0
6     250.000       1.00       1.81836       24.6
7       3.153       1.35       1.58636       60.9
8*     13.802  5.10-6.77-10.21   −           −
9        ∞         0.90       1.51633       64.1
10       ∞          −          −           −
*は回転対称非球面。
非球面データ（表示していない非球面係数は0.00である。）；
NO        Ａ４              Ａ６              Ａ８
3      0.46256×10-3     0.22543×10-4      0.51293×10-5
4     -0.50000×10-3
5     -0.18802×10-3    -0.13073×10-4
8      0.11451×10-1     0.25577×10-2      0.22000×10-4
【実施例７】
【００３９】
図２５ないし図２８は本発明のズームレンズ系の第７実施例を示すもので、図２５は短
焦点距離端でのレンズ構成図、図２６は短焦点距離端での諸収差図、図２７は中間焦点距
離での諸収差図、図２８は長焦点距離端での諸収差図である。表７はその数値データであ
る。絞りSは、第２レンズ群２０の前方（第５面の前方）0.20の位置にある。基本的なレ
ンズ構成は実施例４と同様である。
【００４０】
（表７）
FNO. =  1: 3.5 - 4.3 - 6.6
f    =  4.50 - 7.00 - 13.50（ズーム比=3.00）
W    =  36.5 - 23.2 - 12.1
fB   =  1.02 - 1.02 - 1.02
最大像高=  2.9
βW=  18.4
βT=  14.8
面No.    ｒ          ｄ           Nd           ν
1        ∞         0.50       1.88300       40.8
2       4.077       1.25         −           −
3*     10.235       0.82       1.84666       23.8
4*    165.059  8.58-4.24-0.49    −           −
5*      3.696       1.11       1.83399       45.2
6     125.000       1.40       1.80330       29.2
7       2.678       1.40       1.58636       60.9
8*     21.275  5.30-7.21-12.17   −           −
9        ∞         0.90       1.51633       64.1
10       ∞          −          −           −
*は回転対称非球面。
非球面データ（表示していない非球面係数は0.00である。）；
NO        Ａ４               Ａ６             Ａ８
3      0.35360×10-3     -0.20937×10-3
4     -0.56064×10-3  -0.23605×10-3
5     -0.23869×10-3     -0.37466×10-4
8      0.79475×10-2      0.14570×10-2      0.22000×10-4
【実施例８】
【００４１】
図２９ないし図３２は本発明のズームレンズ系の第８実施例を示すもので、図２９は短
焦点距離端でのレンズ構成図、図３０は短焦点距離端での諸収差図、図３１は中間焦点距
離での諸収差図、図３２は長焦点距離端での諸収差図である。表８はその数値データであ
る。絞りSは、第２レンズ群２０の前方（第５面の前方）0.20の位置にある。基本的なレ
ンズ構成は実施例４と同様である。
【００４２】
（表８）
FNO. =  1: 3.5 - 4.2 - 6.7
f    =   4.60 - 7.00 - 13.80（ズーム比=3.00）
W    =  35.4 - 23.1 - 11.9
fB   =   1.04 - 1.04 - 1.04
最大像高=  2.9
βW=  18.9
βT=  14.7
面No.    ｒ          ｄ           Nd           ν
1        ∞         0.50       1.88300       40.8
2       3.952       1.15         −           −
3*      9.514       0.87       1.84666       23.8
4*    219.244  8.57-4.41-0.49    −           −
5*      3.595       0.99       1.83400       45.2
6     125.000       1.24       1.83392       28.3
7       2.946       1.60       1.58636       60.9
8*     17.684  5.10-6.92-12.08   −           −
9        ∞         0.90       1.51633       64.1
10       ∞          −          −           −
*は回転対称非球面。
非球面データ（表示していない非球面係数は0.00である。）；
NO        Ａ４              Ａ６              Ａ８
3      0.45858×10-3     -0.11575×10-3      0.43280×10-5
4     -0.61915×10-3   -0.12546×10-3
5     -0.20734×10-3     -0.31329×10-4
8      0.87631×10-2      0.16974×10-2      0.22000×10-4
【実施例９】
【００４３】
図３３ないし図３６は本発明のズームレンズ系の第９実施例を示すもので、図３３は短
焦点距離端でのレンズ構成図、図３４は短焦点距離端での諸収差図、図３５は中間焦点距
離での諸収差図、図３６は長焦点距離端での諸収差図である。表９はその数値データであ
る。絞りSは、第２レンズ群２０の前方（第５面の前方）0.20の位置にある。基本的なレ
ンズ構成は実施例４と同様である。
【００４４】
（表９）
FNO. =  1: 3.5 - 4.2 - 6.7
f    =  4.70 - 7.00 - 14.10（ズーム比=3.00）
W    =  34.1 - 23.0 - 11.6
fB   =   1.02 - 1.02 - 1.02
最大像高=  2.9
βW=  20.3
βT=  14.7
面No.    ｒ          ｄ           Nd           ν
1      31.583       0.50       1.85000       40.0
2       3.912       1.34         −           −
3*      8.149       0.89       1.84666       23.8
4*     21.546  9.29-5.01-0.61    −           −
5*      3.882       1.25       1.82305       45.7
6     250.000       1.40       1.74649       31.7
7       2.363       1.60       1.58636       60.9
8*     18.868  5.30-6.99-12.19   −           −
9        ∞         0.90       1.51633       64.1
10       ∞          −          −           −
*は回転対称非球面。
非球面データ（表示していない非球面係数は0.00である。）；
NO        Ａ４              Ａ６              Ａ８
3      0.34448×10-3    -0.12838×10-6      0.42197×10-5
4     -0.50000×10-3
5     -0.36281×10-3    -0.19407×10-4
8      0.60287×10-2     0.10162×10-2      0.22000×10-4
【００４５】
各実施例の各条件式に対する値を表１０に示す。
（表１０）
実施例１  実施例２  実施例３  実施例４  実施例５
条件式（１）    2.66      2.22      2.15      2.48      2.42
条件式（２）    1.72      2.25      2.45      1.75      1.83
条件式（３）    1.44      1.29      1.20      1.41      1.38
条件式（４）   22.8      21.1      17.2      29.2      27.1
条件式（５）   20.7      20.9      19.8      23.1      21.6
条件式（６）    2.16      5.48      4.35      4.16      3.56
条件式（７）     -         -         -        0.05      0.06
条件式（８）     -         -         -       50.0      50.0
条件式（９）     -         -         -         -         -
条件式（４’）   -         -         -       29.2      27.1
条件式（６’）   -         -         -        4.16      3.56
実施例６  実施例７  実施例８  実施例９
条件式（１）    2.41      2.15      2.17      2.23
条件式（２）    2.04      2.29      2.33      2.30
条件式（３）    1.38      1.31      1.32      1.36
条件式（４）   36.2      31.7      32.6      29.2
条件式（５）   22.5      18.4      18.9      20.3
条件式（６）    5.85      3.59      4.15      5.55
条件式（７）    0.07      0.08      0.08      0.07
条件式（８）  250.0     125.0     125.0     125.0
条件式（９）     -        3.00      3.00      3.00
条件式（４’） 36.2      31.7      32.6      29.2
条件式（６’）  5.85      3.59      4.15      5.55
【００４６】
表１０から明らかなように、実施例４ないし９は、条件式（１）ないし（８）及び（６
’）を満足し、実施例１ないし実施例３は、条件式（１）ないし（６）を満足しており、
かつ収差図に示すように、諸収差もよく補正されている。
【図面の簡単な説明】
【００４７】
【図１】本発明によるズームレンズ系の第１実施例のレンズ構成図である。
【図２】図１のレンズ構成の短焦点距離端での諸収差図である。
【図３】図１のレンズ構成の中間焦点距離での諸収差図である。
【図４】図１のレンズ構成の長焦点距離端での諸収差図である。
【図５】本発明によるズームレンズ系の第２実施例のレンズ構成図である。
【図６】図５のレンズ構成の短焦点距離端での諸収差図である。
【図７】図５のレンズ構成の中間焦点距離での諸収差図である。
【図８】図５のレンズ構成の長焦点距離端での諸収差図である。
【図９】本発明によるズームレンズ系の第３実施例のレンズ構成図である。
【図１０】図９のレンズ構成の短焦点距離端での諸収差図である。
【図１１】図９のレンズ構成の中間焦点距離での諸収差図である。
【図１２】図９のレンズ構成の長焦点距離端での諸収差図である。
【図１３】本発明によるズームレンズ系の第４実施例のレンズ構成図である。
【図１４】図１３のレンズ構成の短焦点距離端での諸収差図である。
【図１５】図１３のレンズ構成の中間焦点距離での諸収差図である。
【図１６】図１３のレンズ構成の長焦点距離端での諸収差図である。
【図１７】本発明によるズームレンズ系の第５実施例のレンズ構成図である。
【図１８】図１７のレンズ構成の短焦点距離端での諸収差図である。
【図１９】図１７のレンズ構成の中間焦点距離での諸収差図である。
【図２０】図１７のレンズ構成の長焦点距離端での諸収差図である。
【図２１】本発明によるズームレンズ系の第６実施例のレンズ構成図である。
【図２２】図２１のレンズ構成の短焦点距離端での諸収差図である。
【図２３】図２１のレンズ構成の中間焦点距離での諸収差図である。
【図２４】図２１のレンズ構成の長焦点距離端での諸収差図である。
【図２５】本発明によるズームレンズ系の第７実施例のレンズ構成図である。
【図２６】図２５のレンズ構成の短焦点距離端での諸収差図である。
【図２７】図２５のレンズ構成の中間焦点距離での諸収差図である。
【図２８】図２５のレンズ構成の長焦点距離端での諸収差図である。
【図２９】本発明によるズームレンズ系の第８実施例のレンズ構成図である。
【図３０】図２９のレンズ構成の短焦点距離端での諸収差図である。
【図３１】図２９のレンズ構成の中間焦点距離での諸収差図である。
【図３２】図２９のレンズ構成の長焦点距離端での諸収差図である。
【図３３】本発明によるズームレンズ系の第９実施例のレンズ構成図である。
【図３４】図３３のレンズ構成の短焦点距離端での諸収差図である。
【図３５】図３３のレンズ構成の中間焦点距離での諸収差図である。
【図３６】図３３のレンズ構成の長焦点距離端での諸収差図である。
【図３７】βwを説明する光路図である。
【図１】
2006133755.tif 000003
【図２】
2006133755.tif 000004
【図３】
2006133755.tif 000005
【図４】
2006133755.tif 000006
【図５】
2006133755.tif 000007
【図６】
2006133755.tif 000008
【図７】
2006133755.tif 000009
【図８】
2006133755.tif 000010
【図９】
2006133755.tif 000011
【図１０】
2006133755.tif 000012
【図１１】
2006133755.tif 000013
【図１２】
2006133755.tif 000014
【図１３】
2006133755.tif 000015
【図１４】
2006133755.tif 000016
【図１５】
2006133755.tif 000017
【図１６】
2006133755.tif 000018
【図１７】
2006133755.tif 000019
【図１８】
2006133755.tif 000020
【図１９】
2006133755.tif 000021
【図２０】
2006133755.tif 000022
【図２１】
2006133755.tif 000023
【図２２】
2006133755.tif 000024
【図２３】
2006133755.tif 000025
【図２４】
2006133755.tif 000026
【図２５】
2006133755.tif 000027
【図２６】
2006133755.tif 000028
【図２７】
2006133755.tif 000029
【図２８】
2006133755.tif 000030
【図２９】
2006133755.tif 000031
【図３０】
2006133755.tif 000032
【図３１】
2006133755.tif 000033
【図３２】
2006133755.tif 000034
【図３３】
2006133755.tif 000035
【図３４】
2006133755.tif 000036
【図３５】
2006133755.tif 000037
【図３６】
2006133755.tif 000038
【図３７】
2006133755.tif 000039